(57)【要約】      （修正有）【課題】  従来のコンクリート型枠の建込方法のように、堰板の下部以外の部分にセパレータを設けるため、その部分に後付けセパレータ取り付け用のはり巾着金具を予め取り付けておく必要のない方法を提供する。【解決手段】  本発明のコンクリート型枠の建込方法は、互いに離間して対向せしめた２枚の堰板1の下部間に、下部セパレータ2を介挿し固定する工程と、上記下部セパレータの上部における上記堰板間に鉄筋4を挿入する工程と、上記下部セパレータが固定されている上記堰板の他の部分において、上記堰板と鉄筋を介して棒状の後付けセパレータ13を貫通せしめる工程と、この後付けセパレータの端部に上記堰板の内面に対接されるよう抜け止め具9を固定せしめる工程と、上記後付けセパレータを堰板に締付固定する工程とより成る。【選択図】  図４
2005061125.tif 000002
【特許請求の範囲】
【請求項１】
互いに離間して対向せしめた２枚の堰板の下部間に、下部セパレータを介挿し固定する工程と、
上記下部セパレータの上部における上記堰板間に鉄筋を挿入する工程と、
上記下部セパレータが固定されている上記堰板の他の部分において、上記堰板と鉄筋を介して棒状の後付けセパレータを貫通せしめる工程と、
この後付けセパレータの端部に上記堰板の内面に対接されるよう抜け止め具を固定せしめる工程と、
上記後付けセパレータを堰板に締付固定する工程と
より成ることを特徴とするコンクリート型枠の建込方法。
【発明の詳細な説明】
【技術分野】
【０００１】
本発明はコンクリート型枠の建込方法、特に、鉄筋が挿入されるコンクリート型枠の建込方法に関するものである。
【背景技術】
【０００２】
従来のコンクリート型枠の建込方法としては特許文献１に記載されたものがある。
【特許文献１】特開平１０−１８３９９３号公報（図７）。
【０００３】
図５は従来のコンクリート型枠を示し、１は互いに離間して対向配置したベニヤ板等の２枚の堰板、２はこの２枚の堰板１間に介挿してこれらを所定の間隔ならしめるための棒状のセパレータ、３はこのセパレータ２の両端部に螺合した、上記堰板１の内面に対接される位置決め座金、４は上記２枚の堰板１間に介挿されたかご状の鉄筋、５は２枚の堰板１間に打設されたコンクリート、６は堰板１の外側に突出された上記セパレータ２の端部に螺合した締付金物、７は縦ばた、８は横ばた、９は押え金具、１０は締付ナットである。
【０００４】
このような従来の型枠の建込に際しては、２枚の堰板１間を図６に示すようなセパレータ２によって所定の間隔に離間せしめ、セパレータ２の端部に締付金物６を螺合し、ばた７，８及び押え金具９を介して締付ナット１０によって締め付けた後堰板１間に予め組み立てられているかご状の鉄筋４を上部から挿入し、コンクリート５を打設している。
【発明の開示】
【発明が解決しようとする課題】
【０００５】
然しながら、上記従来のコンクリート型枠の建込方法においては、堰板１に対しその下部以外の全てのセパレータ２を取り付けた後では堰板１間に鉄筋４を挿入することができず、また、上記下部以外のセパレータ２は鉄筋４を挿入した後に堰板１に取り付けることは不可能であるか、極めて困難である。
【０００６】
従って、従来においては図７に示すように下部を除くセパレータ２の取付位置においては堰板１の内側に、セパレータ２の代りに上方が開いているはり巾着金具１１を予め配置し、これを上記対応する位置の締付金物６に螺合し、締付ナット１０によって締め付け、鉄筋４を挿入し、その後図８に示すような上記所定の間隔に対応せしめた長さの後付けセパレータ１２を上記巾着金具１１内にその上方から押し込み、これに固定せしめている。
【０００７】
従ってその作業が極めて面倒なばかりでなく、高価な巾着金具を用いるためコスト高となる欠点があった。
【０００８】
本発明はこのような欠点を除くようにしたものである。
【課題を解決するための手段】
【０００９】
本発明のコンクリート型枠の建込方法は、互いに離間して対向せしめた２枚の堰板の下部間に、下部セパレータを介挿し固定する工程と、上記下部セパレータの上部における上記堰板間に鉄筋を挿入する工程と、上記下部セパレータが固定されている上記堰板の他の部分において、上記堰板と鉄筋を介して棒状の後付けセパレータを貫通せしめる工程と、この後付けセパレータの端部に上記堰板の内面に対接されるよう抜け止め具を固定せしめる工程と、上記後付けセパレータを堰板に締付固定する工程とより成ることを特徴とする。
【発明の効果】
【００１０】
本発明のコンクリート型枠の建込方法によれば、はり巾着金具が不要であるためコストを低下でき、また、その工程も少なく且つ簡単となる大きな利益がある。
【発明を実施するための最良の形態】
【００１１】
以下図面によって本発明の実施例を説明する。
【実施例１】
【００１２】
本発明のコンクリート型枠の建込方法においては、図１に示すように棒状本体部１３ａと、両端ねじ部１３ｂと、上記棒状本体部１３ａとねじ部１３ｂ間に形成した溝部１３ｃとより成るセパレータ１３と、上記溝部１３ｃに嵌合固定される、図２に示すような切り欠き１４を有する大径円板状の位置決め座金１５を用い、２枚の堰板１間の下部のみに従来のセパレータ２を用いて２枚の堰板１を所定の間隔に離間せしめ、セパレータ２に締付金物６を螺合し、ばた７，８及び押え金具９を介して締付ナット１０によって締め付けた後堰板１間に予め組み立てられている鉄筋４を上部から挿入し、その後下部を除く総べてのセパレータ取付位置において図３に示すように堰板１に形成されているセパレータ貫通孔１６から上記鉄筋４の隙間を介して後付けセパレータ１３を貫通し、このセパレータ１３の溝部１３ｃに位置決め座金１５を嵌合せしめ、次いで堰板１外に突出しているセパレータ１３のねじ部１３ｂに上記締付金物６を螺合し、縦ばた７、横ばた８及び押え金具９を介して締付ナット１０によって締め付け、図４に示すようにコンクリート型枠の建込みを完了せしめる。
【００１３】
なお、上記後付けセパレータ１３には溝部１３ｃを設けず、上記位置決め座金１５をねじ部１３ｂに嵌合せしめるようにしても良い。
【００１４】
また、位置決め座金１５は円板状のものに限らず、２本の鋼線を２つに折り曲げたヘアピン状のものであっても良い。
【産業上の利用可能性】
【００１５】
本発明のコンクリート型枠の建込方法は上記のとおりであるから従来のようなはり巾着を全く必要とせず、その工程も少なくなり、コストを低減できるためコンクリート型枠の建込工法として秀れたものである。
【図面の簡単な説明】
【００１６】
【図１】本発明のコンクリート型枠の建込方法において用いる後付けセパレータの断面図である。
【図２】本発明のコンクリート型枠の建込方法に用いる位置決め座金の斜視図である。
【図３】本発明のコンクリート型枠の建込方法の説明図である。
【図４】本発明のコンクリート型枠の建込方法の説明図である。
【図５】従来のコンクリート型枠の説明図である。
【図６】図５に示すセパレータの斜視図である。
【図７】従来の他のコンクリート型枠の説明図である。
【図８】図７のコンクリート型枠に用いるセパレータの正面図である。
【符号の説明】
【００１７】
１    ２枚の堰板
２    棒状のセパレータ
３    位置決め座金
４    かご状の鉄筋
５    コンクリート
６    締付金物
７    縦ばた
８    横ばた
９    押え金具
１０    締付ナット
１１    巾着金具
１２    後付けセパレータ
１３    後付けセパレータ
１３ａ  棒状本体部
１３ｂ  両端ねじ部
１３ｃ  溝部
１４    切り欠き
１５    大径円板状の位置決め座金
１６    セパレータ貫通孔
【図１】
2005061125.tif 000003
【図２】
2005061125.tif 000004
【図３】
2005061125.tif 000005
【図４】
2005061125.tif 000006
【図５】
2005061125.tif 000007
【図６】
2005061125.tif 000008
【図７】
2005061125.tif 000009
【図８】
2005061125.tif 000010